(57)【要約】【課題】既設の柱の取替え作業に用いるに好適な装置を提供する。【解決手段】横架材２や土台１にほぞ穴６，７を設け、該ほぞ穴６，７と一致する位置にして柱３の端部に設けた係合穴１０，１１内に、前記ほぞ穴６，７に先端側の一半を係合するほぞ材４，５を突出自在に収設する。そして、該ほぞ材４，５の前記先端側の一半に前記横架材２等に前記ほぞ穴と交叉させて設けた、接続杆２６の嵌挿孔８，９と一致させる貫通孔１２，１３を、後端側の他の一半には前記柱３の端部に前記係合穴と交叉させて設けた、接続杆２６の嵌挿孔１６，１７と一致させる貫通孔１４，１５をそれぞれ設ける。また、ほぞ材４，５に貫通させた操作紐２０，２１の両端を前記係合穴１０，１１より導出して柱３の前記端部を通じて該部に導出する。【選択図】    図１
2005023622.tif 000002
【特許請求の範囲】
【請求項１】
柱の端部に、梁や桁などの横架材や土台などの横材に設けたほぞ穴と一致する位置にして係合穴を設け、該係合穴内に、前記ほぞ穴に先端側の一半を係合するほぞ材を突出自在に収設し、該ほぞ材の前記先端側の一半に前記横材に前記ほぞ穴と交叉させて設けた、接続杆の嵌挿孔と一致させる貫通孔を、後端側の他の一半には前記柱の端部に前記係合穴と交叉させて設けた、接続杆の嵌挿孔と一致させる貫通孔をそれぞれ設けると共に、ほぞ材に貫通させた操作紐の両端を前記係合穴より導出して柱の前記端部を通じて該部に導出した、柱と横材の接合装置。
【発明の詳細な説明】
【０００１】
【産業上の利用分野】
本発明は、柱と横材すなわち梁や桁などの横架材や土台との接合装置に関するもので、既設の柱の取替えや搬送上好適なほぞ付柱に適用するものである。
【０００２】
【従来の技術】
柱に設けた受入穴にほぞ材の一端を嵌挿して前記柱に止着し、柱より突出する前記ほぞ材の他の一端を土台に嵌挿するようにした構造のものがある（例えば、特許文献１）。
【０００３】
【特許文献１】
特開平１０−３３８９６８号公報
【０００４】
【発明が解決しようとする課題】
前記従来例は、柱側に加工成形していたほぞに代えて金属製の棒杆体をほぞ材に適用したものであるが、従前のほぞを加工成形した柱と同様に、ほぞ材が柱より突出しているので、既設の柱の取替えに適用できない。
【０００５】
本発明は、従来例の斯様な欠点に着目し、既設の柱の取替え作業に用いるに好適な装置を提供すべく創案したものである。
【０００６】
【課題を解決するための手段】
柱の端部に、梁や桁などの横架材や土台などの横材に設けたほぞ穴と一致する位置にして係合穴を設け、該係合穴内に、前記ほぞ穴に先端側の一半を係合するほぞ材を突出自在に収設し、該ほぞ材の前記先端側の一半に前記横材に前記ほぞ穴と交叉させて設けた、接続杆の嵌挿孔と一致させる貫通孔を、後端側の他の一半には前記柱の端部に前記係合穴と交叉させて設けた、接続杆の嵌挿孔と一致させる貫通孔をそれぞれ設けると共に、ほぞ材に貫通させた操作紐の両端を前記係合穴より導出して柱の前記端部を通じて該部に導出した構成とするのである。
【０００７】
【発明の実施の形態】
図面は本発明に係る柱と横材の接合装置の実施形態を示し、図１は縦断面図、図２は図１の中央縦断面図、図３は柱を横架材等に組付ける前の状態の断面図、図４は柱の正面図、図５は柱の拡大斜視図、図６はほぞ材の拡大斜視図、図７はほぞ材の他の実施形態の拡大斜視図である。
【０００８】
図示、１，２は既設の土台と横架材で、実施形態はこれら土台１と横架材（梁や桁）２との間に介在した柱（既設の）に代って新設の柱３を配するようにした、所謂柱の取替えに際して本発明を適用したものである。
【０００９】
前記土台１と横架材２にほぞ材４，５の一半４ａ，５ａを嵌挿する断面円形のほぞ穴６，７を相対向させて設けると共に、その側面にはほぞ穴６，７の軸線と直交し、かつ、ほぞ穴６，７の長手（深さ）方向の中間部に位置する嵌挿孔８，９を設けてある。
【００１０】
なお、既設の土台や横架材側のほぞ穴の場合、既設の柱本体に突設し、該柱本体から分断したほぞ材を該ほぞ穴から抜き出すことによってほぞ穴を形成する手段もあるが、この場合、ほぞ穴は断面方形となっているのが通常で、該ほぞ穴に対応する径を備えたほぞ材が用いられることになる。
【００１１】
土台１と横架材２との間に介在させた前記柱３は両端面３´，３´´に土台１又は横架材２のほぞ穴６，７と一致する中央部位にして係合穴１０，１１を設け、該係合穴１０，１１に前記ほぞ材４，５を収容してある。
【００１２】
ほぞ材４，５は円筒体（角筒体でも良く、角筒体を用いる場合は前記ほぞ穴は該角筒体の断面形と一致する方形にするか、それよりも大径な断面円形にすることになる）で成り、前記一半４ａ，５ａ側である先端側の、土台１又は横架材２の前記ほぞ穴６，７に嵌挿したときに土台１又は横架材２に設けた嵌挿穴８，９と一致する位置に、貫通孔１２，１３を設けると共に、基端側の他の一半４ｂ，５ｂ側には同じく貫通孔１４，１５を設け、該貫通孔１４，１５は、前記先端側の一半４ａ，５ａをほぞ穴６，７に嵌挿したときに柱３の端部側に設けた嵌挿孔１６，１７と一致する位置にして、前記の通り、ほぞ材４，５の基端側の他の一半に設けてある。
【００１３】
また、柱３の上端部側の係合穴１０に収容した上側のほぞ材４の基端部（下端部）と柱３の下端部側の係合穴１１に収容した下側のほぞ材５の先端部（下端部）のそれぞれには前記貫通孔１２，１３，１４，１５乃至嵌挿孔８，９，１６，１７の軸線方向と直交する方向にして通孔１８，１９を設け、該通孔１８，１９に貫通させた操作紐２０，２１の両端を前記ほぞ穴６，７より導出して、柱３の前記端面３´，３´´に前記通孔１８，１９と平行する方向にして設けた案内溝２２，２３を通じて柱３外部に導出し、その両端を柱３に止着手段２４，２４´によって止着して実施形態としたものである。
【００１４】
この実施形態を得るには、柱３に設けた係合穴１０，１１に通孔１８，１９を通じて操作紐２０，２１を組合わせた状態のほぞ材４，５を、上側のほぞ材４にあってはその操作紐２０を組付けた基端側から、下側のほぞ材５にあっては操作紐２１を組付けていない側の先端側からそれぞれ嵌挿、収容し、係合穴１０，１１より導出させた操作紐２０，２１の両端を止着手段２４，２４´によって柱３に止着し、下側の案内溝２３に弾性材より成る蓋杆２５をその弾性を利用して強制的に嵌合して該蓋杆２５（必ずしも必要としない）によって下側のほぞ材５の係合穴１１からの、自重による脱落を確実に防止させ、土台１や横架材２側のほぞ穴６，７に係合穴１０，１１が一致する位置になるようにして柱３を土台１と横架材２との間に介在させて得られる。
【００１５】
そして、一方の止着手段２４を取り外して該取り外した止着手段２４側の操作紐２０の端部を引っ張ると、係合穴１０内に存する紐２０部分の長さが総体的に短くなるから、ほぞ材４は操作紐２０の移動に伴って上昇し、該上側の係合穴１０と一致する位置に存する横架材２側のほぞ穴６に先端側の一半が嵌挿され、ほぞ材４に設けた貫通孔１２，１３が横架材２又は柱３の上端部に設けた嵌挿孔８，１６とが互いに一致する位置まで上昇し、この状態で横架材２と柱３の前記嵌挿孔８，１６に前記貫通孔１２，１４を通じて接続杆２６をそれぞれ嵌挿すると柱３と横架材２は接合される。
【００１６】
また、蓋杆２５を案内溝２３より取り外して、前記柱３上部側の操作と同様に一方の止着手段２４を取り外して、該取り外した止着手段２４側の操作紐２０を緩めると、操作紐２０によって係合穴１１から突出を規制されていた下側のほぞ材５は自重によって係合穴１１から突出して降下し土台１側のほぞ穴７内に嵌挿し、ほぞ材５側の貫通孔１５，１３が、柱３又は土台１側の嵌挿孔１７，９に一致し、この状態で土台１と柱３下部側の嵌挿孔１３に貫通孔９を通じて接続杆２６をそれぞれ嵌挿することによって柱３下部と土台１は接合されるのである。
【００１７】
図７で示す第二実施形態のほぞ材４，５は通孔１８，１９に代えて切欠１８Ａ，１９Ａを設けたものである。
【００１８】
【発明の効果】
本発明は前記の通りの構成であるから、既設の横架材等の横材間にほぞ材を組付けた柱を介在させ、該ほぞ材を横材に部分的に嵌挿させてほぞ材を接続杆で横材と柱に固定することにより柱と横材を確実に接合することができる。また、柱側にほぞ材を組付け、これを突出させてほぞを構成させて柱と横材を接合するようにしたものであるから、既設の横材にはほぞ穴と接続杆嵌挿用の嵌挿孔を設けるという加工だけで足りるから、大工事を必要とせずに柱の取替えを行える。
【図面の簡単な説明】
【図１】縦断面図。
【図２】図１の中央縦断面図。
【図３】柱を横架材等に組付ける前の状態の断面図。
【図４】柱の正面図。
【図５】柱の拡大斜視図。
【図６】ほぞ材の拡大斜視図。
【図７】ほぞ材の他の実施形態の拡大斜視図。
【符号の説明】
１                      土台
２                      横架材
３                      柱
４，５                  ほぞ材
８，９，１６，１７      嵌挿孔
１０，１１              係合穴
１２，１３，１４，１５  貫通孔
２０，２１              操作紐
２６                    接続杆
【図１】
2005023622.tif 000003
【図２】
2005023622.tif 000004
【図３】
2005023622.tif 000005
【図４】
2005023622.tif 000006
【図５】
2005023622.tif 000007
【図６】
2005023622.tif 000008
【図７】
2005023622.tif 000009